【手続補正書】
【提出日】平成19年7月12日(2007.7.12)
【手続補正１】
【補正対象書類名】明細書
【補正対象項目名】全文
【補正方法】変更
【補正の内容】
【書類名】  明細書
【発明の名称】  局部洗浄便座
【特許請求の範囲】
【請求項１】  洋式便器において使用する便座と、温水を生成する温水生成手段と、前記便座に設けた洗浄水噴出孔と、前記温水生成手段と前記洗浄水噴出孔とを連通する流路とからなり、前記便座に設けた洗浄水噴出孔から人体の局部にめがけて温水を噴出し、人体局部を洗浄することを特徴とする局部洗浄便座。
【請求項２】  温水生成手段は便座の内部に設けた請求項１記載の局部洗浄便座。
【請求項３】 便座回動手段をさらに備え、前記便座回動手段は中空の軸および軸受けとの組み合わせからなり、温水生成手段と洗浄水噴出孔とを結ぶ流路を、前記便座回動手段の中空軸内を通し、洗浄水噴出孔まで便座の内部を通したことを特徴とする、請求項１又は２に記載の局部洗浄便座。
【請求項４】  洗浄水噴出孔は便座の一部を隆起させた隆起部に設けたたことを特徴とする請求項１〜３のいずれか１項に記載の局部洗浄便座。
【請求項５】  便座の一部を可撓性のある部材で構成し、前記可撓性のある部材に洗浄水噴出孔を設けたことを特徴とする請求項１〜４のいずれか１項に記載の局部洗浄便座。
【請求項６】  洗浄水噴出孔を便座前方に設けたことを特徴とする請求項１〜５のいずれか１項に記載の局部洗浄便座。
【請求項７】  洗浄水噴出孔を便座の複数箇所に設けて、局部を含め臀部の広い範囲に温水が当たるようにしたことを特徴とする請求項１〜６のいずれか１項に記載の局部洗浄便座。
【発明の詳細な説明】
【０００１】
【発明の属する技術分野】
本発明は、人体の局部を洗浄する局部洗浄便座に関するものである。
【０００２】
【従来の技術】
人体の局部を洗浄するための局部洗浄便座が普及してきている。この局部洗浄便座は図７に示すように、便座１に座った人体２の局部に対して、便器後方に設置された本体３より洗浄ノズル４を繰出し、人体２の後方から洗浄水を噴出し、局部の洗浄を行なうものである。
【０００３】
一方、局部を広く洗浄するものとして特開昭６２−２４２０３０号公報に記載されている人体局部洗浄装置がある。これは洗浄ノズルにラックを設け、繰出したノズルをさらにピニオンギアによって前後に動かし、広い範囲を洗浄するものである。
【０００４】
さらに、人体の前方より洗浄水を噴射するものとしては、従来から使われているビデがある。
【０００５】
【発明が解決しようとする課題】
上記従来の局部洗浄便座および人体局部洗浄装置は、より広い範囲を洗浄するために洗浄ノズルを大きく繰出していくと、やがて洗浄水は股間から外れ、便座の外に飛び出してしまうと言う課題を有していた。特に女性の局部は前を向いているため、洗浄水が股間から外れる寸前まで洗浄ノズルを伸ばしてもなお、洗浄できない部分が残ると言う課題も有していた。また、人体の後方から洗浄水を噴出するため、肛門に当たった洗浄水がさらに前に流れることもあり、特に女性の局部に対して、肛門を通った洗浄水が当たることは衛生上の問題が大きいと言う課題も有していた。また、上記従来のビデは、洗浄の範囲や衛生上の問題は解決できているものの、今日の局部洗浄便座と比べて大きさも大きく、形態や使用方法がが大きく異なると言う課題を有していた。
【０００６】
【課題を解決するための手段】
本発明は上記課題を解決するために、便座に設けた洗浄水噴出孔から洗浄水を噴出するようにしたものである。
【０００７】
上記発明によれば、人体の後方からではなく前方や側方から洗浄水を噴出するため、人体局部の広い範囲に洗浄水を当てることができ、また、肛門を通らない洗浄水で人体局部を洗浄することができる。
【０００８】
【発明の実施の形態】
本発明は、洋式便器において使用する便座と、温水を生成するための温水生成手段と、便座に設けた洗浄水噴出孔と、温水生成手段と洗浄水噴出孔とを結ぶ流路とからなり、便座に設けた洗浄水噴出孔から人体の局部にめがけて温水を噴出し、人体局部を洗浄するようにしたものである。そして、便座に設けた洗浄水噴出孔より洗浄水を噴出することにより、洗浄水が肛門を通ることなく、清潔なまま局部を洗浄することができる。
【０００９】
次に、温水生成手段は便座の内部に設けたものである。そして、温水生成手段を便座に内蔵することにより、従来の局部洗浄便座と同じく小型化を図ることができる。
【００１０】
次に、便座回動手段をさらに備え、便座回動手段は中空の軸および軸受けとの組み合わせからなり、温水生成手段と洗浄水噴出孔とを結ぶ流路を、便座回動手段の中空軸内を通し、洗浄水噴出孔まで便座の内部を通したものである。そして、便座回動手段を中空軸とし、その中に流路を通すことにより、簡素な構成となり、従来の局部洗浄便座と同様の構成にすることができる。
【００１１】
次に、洗浄水噴出孔は便座の一部を隆起させた隆起部に設けたものである。そして、洗浄水噴出孔を便座の隆起部に設けることにより、被洗浄位置の自由度が大きくなり、より広範囲の洗浄を行なうことができる。
【００１２】
次に、便座の一部を可撓性のある部材で構成し、可撓性のある部材に洗浄水噴出孔を設けたものである。そして、洗浄水噴出孔を可撓性のある部材に設け、使用時にのみ長く突き出すことにより、非使用時の出張が小さいため違和感が無く、かつ、より広範囲の洗浄を行なうことができる。
【００１３】
次に、洗浄水噴出孔を便座前方に設けたものである。そして、便座に設けた洗浄水噴出孔から洗浄水を噴出することにより、洗浄水が肛門を通ることなく、清潔なまま女性の局部を洗浄することができる。
【００１４】
次に、洗浄水噴出孔を便座の複数箇所に設けて、局部を含め臀部の広い範囲に温水が当たるようにしたものである。そして、便座に複数個の洗浄水噴出孔を設けることにより、臀部全体等の非常に広範囲な洗浄を行なうことができる。
【００１５】
【実施例】
以下、本発明の実施例について図面を用いて説明する。
【００１６】
（実施例１）
図１は本発明の実施例１の局部洗浄便座を示した概略図である。
【００１７】
図１において、１は洋式便器において使用する便座で、５は温水を生成するための温水生成手段である。６は洗浄水を噴出するための洗浄水噴出孔で、流路７によって温水生成手段５とつながっている。また、８は便座１を本体３に対して起倒自在に回動させるための便座回動手段である。なお、この図は便座１と本体３とを分離した図となっているが、使用時には便座１と本体３は便座回動手段８によって接続される。
【００１８】
次に動作、作用について説明する。温水生成手段５によって作られた温水は流路７を通り、便座１に設けた洗浄水噴出孔６から噴出する。ここで、噴出した温水は人体局部を洗浄するものであるから洗浄水と呼ぶ。このとき洗浄水は肛門を通ることなく、清潔な洗浄水のまま局部を洗浄することができる。
【００１９】
なお、洗浄水噴出孔６の大きさや角度等の形状により、噴出した洗浄水の軌跡が変わるため、被洗浄部の位置に応じてこれらの形状を決めると、広い範囲にわたり、洗浄を行なうことができる。また、洗浄水噴出孔６は１個の孔である図になっているが、１つの流路で来た温水を噴出するところで複数個の孔に分ける多孔式であっても良い。
【００２０】
なお、温水生成手段５は水を容器に溜めて加熱する貯湯式であっても、使用時に流水を加熱する瞬間式であっても良い。
【００２１】
また、温水を温水生成手段５から洗浄水噴出孔６へ送り、噴出する方法としては、水道水の圧力を用いて水によって押出す方法や、ポンプを用いて送る方法であっても良い。
【００２２】
なお、流路７は図に示すようなチューブを用いても良い。
【００２３】
また、便座１を本体３に対して起倒自在にさせる場合は便座回動手段８により、便座１を回動することができる。なお、図においては便座回動手段８は軸と軸受けとからなる用に示しているが、蝶番やリンク機構であっても良い。
【００２４】
なお、便座回動手段８を中空の回動軸と軸受けとの組み合わせとし、流路７を中空の回動軸の中を通すと簡素な構成にすることができる。また、図において流路７は便座回動手段８の中を通した構成になっているが、通さずに外に出しても良い。
【００２５】
また、温水生成手段５は本体３に内蔵されている図になっているが、本体３に内蔵しても、便座１や本体３と別設されていても良い。また、図２の概略図に示すように便座１に内蔵すると局部洗浄便座を小型化することができる。
【００２６】
なお、図１において便座１は本体３に対して起倒自在に回動するようなっているが、本体３と便座１は固定されていても良いし、本体３が必要無ければ便座１を便器の上に載せる、あるいは便器に固定しても良い。
【００２７】
（実施例２）
図３は本発明の実施例２の局部洗浄便座の概略図である。
【００２８】
図３において、（ａ）は便座１を裏から見た概略図で、（ｂ）は（ａ）の便座１の一点鎖線でのＸ−Ｘ断面の一部である。また、９は便座の一部を隆起させた隆起部で、洗浄水噴出孔６を設けられている。
【００２９】
次に動作、作用について説明する。温水生成手段で生成された温水は流路を通って隆起部９に設けられた洗浄水噴出孔６から噴出し、人体の局部を洗浄することができる。この時、隆起部９を長く取ることにより、被洗浄位置の自由度が大きくなり、より広範囲の洗浄を行なうことができる。
【００３０】
また、隆起部９を便座１と一体で成形することにより、継目の無い、汚れが付着しにくい、もしくは汚れが付着しても容易に拭き取れる構成にすることができる。
【００３１】
（実施例３）
図４は本発明の実施例３の局部洗浄便座の概略図である。
【００３２】
図４において、（ａ）は便座１を裏から見た概略図で、（ｂ）は（ａ）の便座１の一点鎖線でのＹ−Ｙ線断面の一部である。また、便座１の一部を可撓性のある部材１０で構成し、洗浄水噴出孔６が設けられている。
【００３３】
次に動作、作用について説明する。温水生成手段で生成された温水は流路を通って可撓性のある部材１０に設けられた洗浄水噴出孔６から噴出し、人体の局部を洗浄することができる。
【００３４】
なお、可撓性のある部材１０は非使用時には便座１に対して隆起していない、もしくは少し隆起した見た目にも違和感の無い状態であるが、洗浄時に長く突き出すことにより、被洗浄位置の自由度が大きくなり、より広範囲の洗浄を行なうことができる。
【００３５】
また、可撓性のある部材１０を突き出す方法は、洗浄水の水圧を利用しても良いし、空気の圧力や、アクチュエータによる機械的な押し出しを用いても良い。
【００３６】
（実施例４）
図５は本発明の実施例４の局部洗浄便座の断面図である。
【００３７】
図５において、１は便座で、前方中央に洗浄水噴出孔６が設けられている。７は流路で、温水生成手段（図示せず）と洗浄水噴出孔６をつないでいる。
【００３８】
次に動作、作用について説明する。温水生成手段で生成された温水は流路７を通り、洗浄水噴出孔６から噴出し、人体２の女性の局部に当たる。この洗浄水は肛門を通ることなく、清潔な洗浄水のまま女性の局部を洗浄することができ、清潔意識が高い女性にとっても安心して局部洗浄を行なうことができる。
【００３９】
また、洗浄水噴出孔６の仰角を大きく取ることにより、局部のさらに上方を洗浄することができる。
【００４０】
なお、局部の上方を洗浄するために、実施例２に記載の隆起部もしくは実施例３に記載の可撓性のある部材を用いても良い。
【００４１】
（実施例５）
図６は本発明の実施例５の局部洗浄便座の概略図である。
【００４２】
図６において、１は便座、６は洗浄水噴出孔で、流路（図示せず）により、温水生成手段（図示せず）とつながっている。
【００４３】
次に動作、作用について説明する。洗浄水噴出孔６が複数個あることにより、洗浄水は様々な方向から人体に当たるため、非常に広範囲な洗浄を行なうことができる。
【００４４】
なお、図においては洗浄水噴出孔６は前および左右の３ヶ所と示しているが、被洗浄位置に応じて場所および数を変えても良い。
【００４５】
また、左右の洗浄水噴出孔６は実施例２に記載の隆起部もしくは実施例３に記載の可撓性のある部材を併用することにより、臀部全体を洗浄することができ、失禁その他の不慮の生理現象により臀部を汚した場合の洗浄や、老人の下の世話を行なうことができる。
【００４６】
なお、複数の洗浄水噴出孔６から洗浄水を噴出する場合は、全ての洗浄水噴出孔から同時に洗浄水を噴出しても良いし、１個もしくは複数個の洗浄水噴出孔から交互もしくは順番もしくはランダムもしくは任意に選択した組み合わせで洗浄水を噴出しても良い。
【００４７】
以上の説明から明らかなように、本実施の形態の局部洗浄便座によると次の効果が得られる。
【００４８】
（１）便座に設けた洗浄水噴出孔より洗浄水を噴出することにより、洗浄水が肛門を通ることなく、清潔なまま局部を洗浄することができる。
【００４９】
（２）便座に便座回動手段を設けることにより、通常の便座と同じく起倒自在に使用することができる。
【００５０】
（３）温水生成手段を便座に内蔵することにより、従来の局部洗浄便座と同じく小型化を図ることができる。
【００５１】
（４）温水生成手段を本体内に内蔵することにより、従来の局部洗浄便座と同様の構成にすることができる。
【００５２】
（５）便座回動手段を中空軸とし、その中に流路を通すことにより、簡素な構成となり、従来の局部洗浄便座と同様の構成にすることができる。
【００５３】
（６）洗浄水噴出孔を便座の隆起部に設け、隆起部を長く取ることにより、被洗浄位置の自由度が大きくなり、より広範囲の洗浄を行なうことができる。
【００５４】
（７）洗浄水噴出孔を可撓性のある部材に設け、使用時にのみ長く突き出すことにより、非使用時の出張が小さいため違和感が無く、かつ、より広範囲の洗浄を行なうことができる。
【００５５】
（８）便座に設けた洗浄水噴出孔から洗浄水を噴出することにより、洗浄水が肛門を通ることなく、清潔なまま女性の局部を洗浄することができる。
【００５６】
（９）便座に設けた洗浄水噴出孔から洗浄水を噴出することにより、局部のさらに上方を洗浄することができる。
【００５７】
（１０）便座に複数個の洗浄水噴出孔を設けることにより、臀部全体等の非常に広範囲な洗浄を行なうことができる。  
【００５８】
【発明の効果】
以上の説明から明らかなように、本発明の局部洗浄便座によると、便座に設けた洗浄水噴出孔から洗浄水を噴出するようにしたので、人体の前方や側方から洗浄水を噴出して、人体局部の広い範囲に洗浄水を当てることができる。
【図面の簡単な説明】
【図１】
本発明の実施例１の局部洗浄便座全体の概略構成図
【図２】
同便座の概略構成図
【図３】
（ａ）本発明の実施例２の局部洗浄便座の概略構成図
（ｂ）同便座のＸ−Ｘ線断面図
【図４】
（ａ）本発明の実施例３の局部洗浄便座の概略構成図
（ｂ）同部なのＹ−Ｙ線断面図
【図５】
本発明の実施例４の局部洗浄便座の断面図
【図６】
本発明の実施例５の局部洗浄便座の概略構成図
【図７】
従来の局部洗浄便座の断面図
【符号の説明】
１  便座
３  本体
５  温水生成手段
６  洗浄水噴出孔
７  流路
８  便座回動手段
９  隆起部
１０  可撓性のある部材